(57)【特許請求の範囲】
【請求項１】
居室床下地に形成された開口内に設置される防水パンの構造であって、
前記防水パン外周部に壁パネル載置面を有し、該壁パネル載置面の外側には、
前記居室床下地上に載置されて間仕切壁を立設するためのベースフレームが防水パンと一体または別体で連結されることを特徴とする防水パンの構造。
【請求項２】
前記ベースフレームに、配管を前記間仕切壁内へ立ち上げ可能に配管用の孔開口が形成されていることを特徴とする請求項１に記載の防水パンの構造。
【発明の詳細な説明】
【技術分野】
【０００１】
本発明は、ユニットバスの底面を構成する防水パンの構造に関するものである。
【背景技術】
【０００２】
従来、特許文献１に開示されているように、浴室と隣室を仕切る間仕切りの下端を、受け材上に設けた溝型部材に嵌め込んで設置した構造が存在する。
【特許文献１】特開２００５−２４８４１９号公報
【発明の開示】
【発明が解決しようとする課題】
【０００３】
上記従来の構造においては、浴室の床面を構成する防水パンは、隣室の床下地に支持されていないため、防水パンの支持強度を確保するための支持部材や防水パン部材が多くなったり、施工工数が多くなっており、部材点数が少なく、簡易に施工できる防水パンの出現が望まれていた。
【課題を解決するための手段】
【０００４】
本発明は上記従来の問題点に鑑み案出したものであって、防水パンの支持強度を確保して、居室の任意の位置に容易に浴室を構築することのできる防水パンの構造を提供するものであり、その請求項１は、居室床下地に形成された開口内に設置される防水パンの構造であって、前記防水パン外周部に壁パネル載置面を有し、該壁パネル載置面の外側には、前記居室床下地上に載置されて間仕切壁を立設するためのベースフレームが防水パンと一体または別体で連結されることである。
【０００５】
また、請求項２は、前記ベースフレームに、配管を前記間仕切壁内へ立ち上げ可能に配管用の孔開口が形成されていることである。
【発明の効果】
【０００６】
本発明は、居室床下地に形成された開口内に設置される防水パンの構造であって、前記防水パン外周部に壁パネル載置面を有し、該壁パネル載置面の外側には、前記居室床下地上に載置されて間仕切壁を立設するためのベースフレームが防水パンと一体または別体で連結されることにより、防水パンの外周側に設けられているベースフレームが居室床下地上に載置されて、居室床下地で支持されるため、防水パンの支持強度が確保されるとともに、ベースフレーム上に間仕切壁を立設させて、間仕切壁で居室側と浴室を間仕切り、容易に浴室を居室内に形成させることができるものとなる。
【０００７】
また、前記ベースフレームに、配管を前記間仕切壁内へ立ち上げ可能に配管用の孔開口が形成されていることにより、配管をベースフレームの孔開口を通して間仕切壁内に配管することができ、配管は間仕切壁内に収納されて外部に露出しないために、配管の納まりが良好なものとなる。
【実施例】
【０００８】
以下、本発明の実施例を図面に基づいて説明する。
図１は、防水パンの設置状態の概略縦断面構成図である。なお、図１において、図中左側の部分では、防水パンにベースフレームＢを一体形成したものを図示しており、また図中右側の部分では、防水パンに別体のベースフレームＢを連結した構造を図示している。
【０００９】
図において、床スラブ面２上に立設した、つか３上に補強材４を介在させて居室の床面を形成する居室床下地１が敷設されており、この居室床下地１に開口１ａが形成されて、この開口１ａ内にユニットバスの床面を構成する防水パン５を設置するものであり、防水パン５の外周側には、上方へ立ち上げて立上片５ａが一体形成され、立上片５ａの上端で略水平に外側へ延びて壁パネル載置面５ｂが一体形成され、図示左側にはベースフレームＢが一体形成されており、壁パネル載置面５ｂから連続して外側へ延びて固定水平片５ｄが一体形成され、この固定水平片５ｄの外端で上方に立ち上げて外側立上片５ｅが一体形成され、この外側立上片５ｅと平行状に内側に内側立上片５ｃが一体形成されたものとなっており、内側立上片５ｃと固定水平片５ｄと外側立上片５ｅでベースフレームＢが構成されている。
【００１０】
なお、ベースフレームＢの固定水平片５ｄには、図２のように、下方側から給水管や給湯管等の配管Ｈを立ち上げ可能に上下に貫通して配管用孔開口５ｆが貫通形成されている。
図示左側においては、防水パン５の壁パネル載置面５ｂと、ベースフレームＢの固定水平片５ｄが平板状に形成されて、居室床下地１上に載置され、ビス１０により居室床下地１に固定される。
このように、ベースフレームＢを一体形成した防水パン５を居室床下地１に支持させて設置した後に、ベースフレームＢの外側立上片５ｅと内側立上片５ｃ間に、間仕切壁７の下端を差し込んで間仕切壁７を立設させ、浴室と居室間を良好に間仕切ることができるものである。
【００１１】
なお、図１の右側に示す構造では、防水パン５の壁載置面５ｂの外端に一体状に立ち上げて立上片５ｃが一体形成されており、この立上片５ｃの外側に、上面が開放されたコの字状断面のベースフレームＢが連結されるものであり、ベースフレームＢは、立上片５ｃに当接させてビス１１で連結固定される内側立上片５０ｂが水平片５０ａの左端に立上形成され、固定水平片５０ａの右端には外側立上片５０ｃが一体形成されており、また固定水平片５０ａには、配管を立ち上げることのできる配管用孔開口５０ｆが形成されたものとなっている。
【００１２】
この図示右側の構成では、防水パン５の外側の立上片５ｃに予めビス１１でベースフレームＢを連結させておき、その状態で壁パネル載置面５ｂおよびベースフレームＢの固定水平片５０ａを居室床下地１上に載置して、居室床下地１に支持させて強固に防水パン５を設置することができ、その後にベースフレームＢの内側立上片５０ｂと外側立上片５０ｃ間に、間仕切壁７の下端を差し込んで、間仕切壁７を立設できるものである。
なお、図１において、防水パン５の底面から支持脚６を垂設させておき、この支持脚６の下端が良好に床スラブ面２に当接されるように構成して、支持脚６によっても防水パン５は強固に支持されるものである。
【００１３】
なお、図３は、図１の図示左側におけるベースフレームＢを一体形成した防水パン５のベースフレームＢに、中空角材で構成された間仕切壁７を差し込んで、間仕切壁７を立設させ、更にこの間仕切壁７の浴室側には、壁パネル載置面５ｂ上にタイルパネル１３を立設させ、反対側の居室側には石膏ボード１２を立設させたものである。
浴室の側壁面を構成する壁パネル１３は、裏側の角パイプフレーム１３ａに下地材１３ｂが固定され、この下地材１３ｂの表面に複数のタイル１３ｃ，１３ｃが貼着されて構成されたものであり、間仕切壁７に沿って壁パネル載置面５ｂ上に立設される。
【００１４】
なお、居室側に立設される石膏ボード１２は、ビス等で間仕切壁７に固定され、石膏ボード１２の下端およびビスは幅木２０で隠されるものである。
なお、このように間仕切壁７に沿って、タイルパネル１３および石膏ボード１２を立設させて構築した後に、居室側の居室床下地１上に床仕上げ材９が敷設されて居室の床面が完成されるものである。
なお、図３では、つか３の代わりに、補強材４と床スラブ面２間に支持脚６が設けられて、支持脚６により居室床下地１が支持された構造となっている。
【００１５】
一方、図４に縦断面拡大構成図で示すものは、別体のベースフレームＢを防水パン５に連結した構成であり、図４におけるベースフレームＢは、配管用孔開口５０ｆが貫通形成された固定水平片５０ａから立ち上げて内側立上片５０ｂと外側立上片５０ｃが一体形成され、内側立上片５０ｂから更に下方側へ垂下状に垂下片５０ｄが一体形成されて、垂下片５０ｄの下端で浴室側へ水平に延びて水平支持片５０ｅが一体形成されたものであり、この水平支持片５０ｅ上に防水パン５の壁載置面５ｂが載置されるように構成されており、また、防水パン５の立上片５ｃにビス１１を介してベースフレームＢの内側立上片５０ｂが連結固定されるものである。
【００１６】
図４では、居室床下地１上にビス１０でベースフレームＢの固定水平片５０ａが防震ゴム８を介在させて載置固定され、載置固定された状態では、水平支持片５０ｅにより防水パン５は良好に支持されるものであり、ベースフレームＢの内側立上片５０ｂと外側立上片５０ｃ間に中空角材で構成された間仕切壁７の下端を差し込んで、間仕切壁７を立設させることができ、間仕切壁７の浴室側の壁パネル載置面５ｂ上にタイルパネル１３を立設させ、また居室側には間仕切壁７に沿って石膏ボード１２を建て付けて、浴室内外の間仕切り施工を良好に行うことができるものである。
【００１７】
なお、図５では、別体のベースフレームＢの要部平面構成図を示しており、固定水平片５０ａには、ビスを通すビス孔５０ｇが形成されており、この固定水平片５０ａのビス孔５０ｇにビス１０を通して、固定水平片５０ａを居室床下地１に固定できるものである。
また、固定水平片５０ａ，５０ａ間に配管用孔開口５０ｆが開口形成されており、この配管用孔開口５０ｆを通し、給水，給湯用の配管を床スラブ面２側から上方の間仕切壁７内に通して、配管を間仕切壁７内に隠蔽させて、すっきりと配管施工できるものである。
【００１８】
なお、図６に示すものは、ベースフレームＢの内側立上片５ｃと外側立上片５ｅ間に間仕切壁７を立設させて、浴室内側から在来工法によりタイルを貼着した構造を示すものである。
即ち、立設した間仕切壁７の浴室側には、防水シート１８を貼り付け、この防水シート１８の浴室側にスペーサー１４を介在させてタイル下地ボード１５を立設させ、このタイル下地ボード１５に接着剤１６を介してタイル１７を貼着したものである。
【００１９】
このように、在来工法で浴室内にタイル壁面を形成させることもでき、防水パンの外周側に設けたベースフレームＢを居室床下地１上に載置固定させて、強固に防水パン５を支持させて、支持強度を確保した状態で、間仕切壁７をベースフレームＢに立設させて良好に居室内を間仕切り、浴室を居室内に構築することができ、居室内の任意の位置に開口１ａを形成させて、容易に居室内に浴室を形成させることができるものとなり、在来工法でも乾式のユニットバス工法と同様に壁の耐震性が確保でき、施工が容易なものとなる。
【図面の簡単な説明】
【００２０】
【図１】防水パンを設置した状態の概略縦断面構成図である。
【図２】間仕切壁内に配管を立ち上げた状態の要部縦断面構成図である。
【図３】ベースフレームを一体形成した防水パンに間仕切壁を立設させた状態の要部縦断面構成図である。
【図４】別体のベースフレームを連結した防水パンのベースフレームに間仕切壁を立設させた要部縦断面拡大構成図である。
【図５】別体のベースフレームの要部平面構成図である。
【図６】立設した間仕切壁の浴室側に在来工法によりタイルを貼着施工した状態の要部縦断面構成図である。
【符号の説明】
【００２１】
１  居室床下地
１ａ  開口
２  床スラブ面
５  防水パン
５ａ  立上片
５ｂ  壁パネル載置面
５ｃ  内側立上片
５ｄ  固定水平片
５ｅ  外側立上片
５ｆ  配管用孔開口
６  支持脚
７  間仕切壁
９  床仕上げ材
１０，１１  固定ビス
１２  石膏ボード
１３  タイルパネル
１４  スペーサー
１５  タイル下地ボード
１７  タイル
１８  防水シート
２０  幅木
５０ａ  固定水平片
５０ｂ  内側立上片
５０ｃ  外側立上片
５０ｄ  垂下片
５０ｅ  水平支持片
５０ｆ  配管用孔開口
Ｂ  ベースフレーム
Ｈ  配管
【図１】
0004712581.tif 000002
【図２】
0004712581.tif 000003
【図３】
0004712581.tif 000004
【図４】
0004712581.tif 000005
【図５】
0004712581.tif 000006
【図６】
0004712581.tif 000007